(57)【要約】【課題】デザインの変更が容易な組立式貯金箱を提供すること。【解決手段】径サイズが異なる複数種のコインを種類毎に選別して貯留する組立式貯金箱であって、起立状態で設置されるベースパネルと、前記複数種のコインを種類毎に選別するための複数のコイン選別レールと、前記複数種のコインを１種ずつ貯留する複数のコインポットと、前記コイン選別レール及び前記コインポットを前記ベースパネルの表面側に着脱可能に取り付けるための取付手段と、を備え、前記複数のコイン選別レールの各々は、径サイズが互いに異なるコインの選別を担うように構成され、コイン導入口、コイン通路及びコイン排出口を有し、前記コイン通路を画成する前壁の一部には、当該コイン選別レールが担当のコインを選択的にコイン通路から落下させるコイン選別開口が設けられている。【選択図】図２
0003138991.tif 000002
【実用新案登録請求の範囲】
【請求項１】
径サイズが異なる複数種のコインを種類毎に選別して貯留する組立式貯金箱であって、
起立状態で設置されるベースパネルと、前記複数種のコインを種類毎に選別するための複数のコイン選別レールと、前記複数種のコインを１種ずつ貯留する複数のコインポットと、前記コイン選別レール及び前記コインポットを前記ベースパネルの表面側に着脱可能に取り付けるための取付手段と、を備え、
前記複数のコイン選別レールの各々は、径サイズが互いに異なるコインの選別を担うように構成され、コイン導入口、コイン通路及びコイン排出口を有し、前記コイン通路を画成する前壁の一部には、当該コイン選別レールが担当のコインを選択的にコイン通路から落下させるコイン選別開口が設けられている、
ことを特徴とする組立式貯金箱。
【請求項２】
前記ベースパネルを複数備え、前記ベースパネル同士は互いに辺を突き合わせて取付手段により着脱可能に連結できるように構成されていることを特徴とする請求項１に記載の組立式貯金箱。
【請求項３】
各コインポットは、コインポット本体と、コインポットを１つずつ表面側に着脱可能に取り付けるためのコインポットベースを備え、前記ベースパネルには、前記コインポットベース及び前記コイン選別レールを取り付けるための取付孔が行列をなして設けられ、前記取付手段は、前記コインポットベース及び前記コイン選別レールの裏側に設けられた係合部と、前記ベースパネルの取付孔と、前記係合部に係着する留め具とを含み、前記係合部及び前記留め具の少なくとも一方を前記ベースパネルの取付孔に挿入させて、前記ベースパネルの表面側にある前記コインポットベース及び前記コイン選別レールの前記係合部に当該ベースパネルの裏面側から前記留め具を係着させることによって、前記コインポットベース及び前記コイン選別レールを前記ベースパネルに取り付けるように構成されていることを特徴とする請求項１又は２に記載の組立式貯金箱。
【請求項４】
コインを遊動させる遊動部材、及び当該コインの通過によって動作する動作部材の少なくとも一方の部材を有する複数のギミック部品と、
前記ギミック部品を前記ベースパネルの表面側に着脱可能に取り付けるための取付手段とを備える、
ことを特徴とする請求項１から３いずれか一項に記載の組立式貯金箱。
【請求項５】
前記ギミック部品を前記ベースパネルに着脱可能に取り付けるための取付手段は、前記ギミック部品の裏側に設けられた係合部と、前記ベースパネルの取付孔と、前記ギミック部品の係合部に係着する留め具とを含み、この係合部及び前記留め具の少なくとも一方を前記ベースパネルの取付孔に挿入させて、前記ベースパネルの表面側にある前記ギミック部品の前記係合部に当該ベースパネルの裏面側からこの留め具を係着させることによって、前記ギミック部品を前記ベースパネルに取り付けるように構成されていることを特徴とする請求項１から４いずれか一項に記載の組立式貯金箱。
【請求項６】
コイン投入口又はコイン導入口が形成され当該コイン投入口又は当該コイン導入口からのコインを前記コイン選別レールに供給するためのコインサーバと、前記コインサーバを前記ベースパネルの表面側に着脱可能に取り付けるための取付手段とを備えることを特徴とする請求項１から５いずれか一項に記載の組立式貯金箱。
【請求項７】
前記コインサーバを前記ベースパネルに着脱可能に取り付けるための取付手段は、前記コインサーバの裏側に設けられた係合部と、前記ベースパネルの取付孔と、前記コインサーバの係合部に係着する留め具とを含み、この係合部及び前記留め具の少なくとも一方を前記ベースパネルの取付孔に挿入させて、前記ベースパネルの表面側にある前記コインサーバの前記係合部に当該ベースパネルの裏面側からこの留め具を係着させるによって、前記コインサーバを前記ベースパネルに取り付けるように構成されていることを特徴とする請求項１から６いずれか一項に記載の組立式貯金箱。
【請求項８】
前記複数のコイン選別レールは前記コイン選別開口を除き同一形状に形成され、また、前記コイン通路は直線状に形成されていることを特徴とする請求項１から７いずれか一項に記載の組立式貯金箱。
【考案の詳細な説明】
【技術分野】
【０００１】
本考案は、径サイズが異なる複数種のコインを種類毎に選別して貯留する貯金箱に関し、さらに詳しくは、組立式貯金箱に関するものである。
【背景技術】
【０００２】
従来、径サイズが異なる複数種のコインを種類毎に選別して貯留する貯金箱が知られている。この貯金箱は１つのコイン選別レールを備えている。このコイン選別レールには全てのコインが通過できる大きさの直線状のコイン通路が形成されている。このコイン通路の途中には複数のコイン選別開口が形成されている。この場合の複数のコイン選別開口の大きさは、コイン導入口側から順次に大きくなっている。そして、この貯金箱では、コイン選別レールのコイン通路に導入されたコインは小さいコインから順に選別されることとなっている。
【特許文献１】特開平５−２０５１３２号公報
【考案の開示】
【考案が解決しようとする課題】
【０００３】
上記貯金箱は、コイン選別用のレール等が固定された完成品となっているため、デザイン変更ができず、気分や部屋の雰囲気に合わせてデザインの変更をすることはできなかった。
本考案は、かかる点に鑑みなされたもので、デザインの変更が容易な組立式貯金箱を提供することを課題としている。
【課題を解決するための手段】
【０００４】
請求項１に記載の考案は、
径サイズが異なる複数種のコインを種類毎に選別して貯留する組立式貯金箱であって、
起立状態で設置されるベースパネルと、前記複数種のコインを種類毎に選別するための複数のコイン選別レールと、前記複数種のコインを１種ずつ貯留する複数のコインポットと、前記コイン選別レール及び前記コインポットを前記ベースパネルの表面側に着脱可能に取り付けるための取付手段と、を備え、
前記複数のコイン選別レールの各々は、径サイズが互いに異なるコインの選別を担うように構成され、コイン導入口、コイン通路及びコイン排出口を有し、前記コイン通路を画成する前壁の一部には、当該コイン選別レールが担当のコインを選択的にコイン通路から落下させるコイン選別開口が設けられている、
ことを特徴とする組立式貯金箱である。
【０００５】
請求項２に記載の考案は、
前記ベースパネルを複数備え、前記ベースパネル同士は互いに辺を突き合わせて取付手段により着脱可能に連結できるように構成されていることを特徴とする請求項１に記載の組立式貯金箱である。
【０００６】
請求項３に記載の考案は、
各コインポットは、コインポット本体と、コインポットを１つずつ表面側に着脱可能に取り付けるためのコインポットベースを備え、前記ベースパネルには、前記コインポットベース及び前記コイン選別レールを取り付けるための取付孔が行列をなして設けられ、前記取付手段は、前記コインポットベース及び前記コイン選別レールの裏側に設けられた係合部と、前記ベースパネルの取付孔と、前記係合部に係着する留め具とを含み、前記係合部及び前記留め具の少なくとも一方を前記ベースパネルの取付孔に挿入させて、前記ベースパネルの表面側にある前記コインポットベース及び前記コイン選別レールの前記係合部に当該ベースパネルの裏面側から前記留め具を係着させることによって、前記コインポットベース及び前記コイン選別レールを前記ベースパネルに取り付けるように構成されていることを特徴とする請求項１又は２に記載の組立式貯金箱である。
【０００７】
請求項４に記載の考案は、
コインを遊動させる遊動部材、及び当該コインの通過によって動作する動作部材の少なくとも一方の部材を有する複数のギミック部品と、
前記ギミック部品を前記ベースパネルの表面側に着脱可能に取り付けるための取付手段とを備える、
ことを特徴とする請求項１から３いずれか一項に記載の組立式貯金箱である。
【０００８】
請求項５に記載の考案は、
前記ギミック部品を前記ベースパネルに着脱可能に取り付けるための取付手段は、前記ギミック部品の裏側に設けられた係合部と、前記ベースパネルの取付孔と、前記ギミック部品の係合部に係着する留め具とを含み、この係合部及び前記留め具の少なくとも一方を前記ベースパネルの取付孔に挿入させて、前記ベースパネルの表面側にある前記ギミック部品の前記係合部に当該ベースパネルの裏面側からこの留め具を係着させることによって、前記ギミック部品を前記ベースパネルに取り付けるように構成されていることを特徴とする請求項１から４いずれか一項に記載の組立式貯金箱である。
【０００９】
請求項６に記載の考案は、
コイン投入口又はコイン導入口が形成され当該コイン投入口又は当該コイン導入口からのコインを前記コイン選別レールに供給するためのコインサーバと、前記コインサーバを前記ベースパネルの表面側に着脱可能に取り付けるための取付手段とを備えることを特徴とする請求項１から５いずれか一項に記載の組立式貯金箱である。
【００１０】
請求項７に記載の考案は、
前記コインサーバを前記ベースパネルに着脱可能に取り付けるための取付手段は、前記コインサーバの裏側に設けられた係合部と、前記ベースパネルの取付孔と、前記コインサーバの係合部に係着する留め具とを含み、この係合部及び前記留め具の少なくとも一方を前記ベースパネルの取付孔に挿入させて、前記ベースパネルの表面側にある前記コインサーバの前記係合部に当該ベースパネルの裏面側からこの留め具を係着させるによって、前記コインサーバを前記ベースパネルに取り付けるように構成されていることを特徴とする請求項１から６いずれか一項に記載の組立式貯金箱である。
【００１１】
請求項８に記載の考案は、
前記複数のコイン選別レールは前記コイン選別開口を除き同一形状に形成され、また、前記コイン通路は直線状に形成されていることを特徴とする請求項１から７いずれか一項に記載の組立式貯金箱である。
【考案の効果】
【００１２】
請求項１から８に記載の考案によれば、ベースパネルに複数のコイン選別レールと複数のコインポットとが着脱可能に構成されているので、気分や部屋の雰囲気に合わせて貯金箱をデザインすることが可能である。
【考案を実施するための最良の形態】
【００１３】
本考案の実施形態に係る組立式貯金箱の構成部品が図１に示されている。また、図２（Ａ），（Ｂ）は組立式貯金箱の第１の組立例を示している。また、図３から図５は組立過程の一例を示している。図６は組立式貯金箱の第２の組立例を示し、図７は組立式貯金箱の第３の組立例を示している。
【００１４】
この組立式貯金箱１００は、２枚のベースパネル１，１と、２枚のベースパネルを連結させる２個のベースパネルジョイント２，２と、ベースパネルを起立状態で支持する２個のスタンド３，３と、ベースパネルが後ろ側に倒れるのを防止する４本のアーム４，４，４，４と、２個のアームジョイント５，５とを備えている。
また、組立式貯金箱１００は、２枚のベースパネル２，２の表面に取り付けられる取付部品として、３個のコインサーバ６ａ，６ａ，６ｂと、５個のコイン選別レール７ａ〜７ｅと、６個のギミック部品８ａ〜８ｆと、長短２個の落下スライダ９ａ，９ｂと、６個のコインポット１１ａ〜１１ｆと、エンブレム１３とを備えている。
さらに、組立式貯金箱１００は、留め具として、２４個の短尺の留め具１４，・・・と、１６個の長尺の留め具１５，・・・と、１４個の受け用の留め具１６，・・・と、１２個のレール用の留め具１７，・・・と、３６個のクリップ（留め具）１８，・・・とを備えている。
【００１５】
（留め具）
留め具はベースパネル１の主に裏側で使用されるものである。この留め具は特に限定はされないがプラスチックで構成されている。
留め具１４，１５は、ベースパネル１の取付孔１ａ及び他の部品の挿入孔に挿入可能な軸部と、この軸部に連設され取付孔１ａ及び他の部品の挿入孔よりも径が大きな頭部とを備えている。軸部の先端にはＴ字状の鍵部が形成されている。一方、頭部には摘みが形成されている。この留め具１４，１５は次の留め具１６と一緒に使用される。
留め具１６は、ベースパネル１の取付孔１ａや他の部品の挿入孔よりも径が大きくなっている。そして、この留め具１６の一の端面には摘みが形成されている。この留め具１６の他の端面には穴が形成されている。この留め具１６の穴は、上記留め具１４，１５の軸部を受容した際に留め具１４，１５が所定の向きのときだけ穴奥まで鍵部が挿入され、その状態で留め具１４，１５又は留め具１６を回転させたときに鍵部が穴奥内の係止部に係止される。この状態では、留め具１４，１５と留め具１６とを互いに離間する方向に引っ張っても留め具１４，１５は留め具１６から抜けない。留め具１４，１５を留め具１６から外す場合には逆の手順で行う。
留め具１７は、相手方取付部品の係合部が穴（孔を含む）でベースパネル１の取付孔１ａに挿入されない構造のものである場合に使用される。この留め具１７は、取付孔１ａに挿入される軸部と、この軸部に連設され取付孔１ａよりも径が大きな頭部とを備えている。軸部の先端は、相手方取付部品の係合部の穴に嵌合するように径が細くなっている。この留め具１７は、取付孔１ａに軸部を挿入し、ベースパネル１の表面側に位置する相手方取付部品の係合部の穴に軸部の先端を嵌合させることで、相手方取付部品をベースパネル１に固定する。相手方取付部品の取り外しは逆の手順で行う。
クリップ（留め具）１８は、相手方取付部品の係合部がベースパネル１の取付孔１ａに挿入された状態てベースパネル１の裏側に先端が突出可能で且つその突出部分の外周に溝が形成されている構造のものである場合に使用される。この留め具１８は２つの係止片を有している。この留め具１８は、相手方取付部品の係合部をベースパネル１の取付孔１ａに挿入して先端をベースパネル１の裏側に突出させ、留め具１８をベースパネル１の裏側でそのベースパネル１の裏面に沿ってスライドさせてその係合部の溝に係止片を係合させることで、相手方取付部品をベースパネル１に固定する。相手方取付部品の取り外しは逆の手順で行う。
以上、留め具について説明したが、留め具は上記例に限定されるものではない。係合部及び留め具の少なくとも一方をベースパネル１の取付孔１ａ及び他の部品の挿入孔に挿入させた状態で、相手方取付部品を固定できるものであればよい。
なお、留め具は取付部品のベースパネル１への取付けに限らず、２枚のベースパネル１，１を２つのベースパネルジョイント２，２で連結させる場合、２つのスタンド３，３にベースパネル１を取り付ける場合、アームジョイント１８をベースパネル１に取り付ける場合、アーム４，４同士を連結する場合、アーム４，４をスタンド３，３及びアームジョイント５，５に取り付ける場合に使用される。
以下では、使用する留め具の例を示す場合の他、どの留め具を使用するかは説明しない。
【００１６】
（ベースパネル）
２枚のベースパネル１，１は、特に限定はされないが、同じ大きさの直方形状となっている。各ベースパネル１はプラスチックによって構成されている。なお、２枚のベースパネル１，１は、プラスチックでなくても、コルク材又は金属で構成されていてもよい。
各ベースパネル１には各辺に平行に縦横に行列をなして多数の取付孔１ａ，・・・が設けられている。この取付孔１ａ，・・・を利用して各取付部品はベースパネル１に取り付けられる。
【００１７】
（ベースパネルジョイント）
２つのベースパネルジョイント２，２はプラスチックによって構成されている。各ベースパネルジョイント２は棒状の部材として構成され、内側に直線状の溝が形成されている。この溝は長手方向両端が開口している。各ベースパネルジョイント２においては、底壁とともに溝を画成する２つの側壁のうち一方の側壁には溝の延在方向に沿って所定間隔で挿入孔が形成されている。また、各ベースパネルジョイント２においては、他方の側壁は、上記一方の側壁の孔の対向部位が欠落するように波形に形成されている。各ベースパネルジョイント２は、２枚のベースパネル１，１の辺を突き合わせ、１つの溝に２枚のベースパネル１，１の辺を同時に挿入し、留め具１４，１６を使用することで、２枚のベースパネル１，１を連結する。
【００１８】
（スタンド）
２個のスタンド３，３はプラスチックによって構成され、正三角形状を呈している。各スタンド３の内面には、下部に接地面積を大きくする二等片三角形状の環状部が形成されている。また、各スタンド３の内面には、環状部の頂部に連接され且つ上下方向に延びる溝が形成されたベースパネル保持部が形成されている。各ベース保持部においては、底壁とともに溝を画成する２つの側壁には溝の延在方向に沿って所定間隔で挿入孔が形成されている。この２つのスタンド３，３は、内面側が互いに向き合うようにして接地される。そして、各スタンド３の溝にはベースパネル１の辺が差し込まれる。そして、留め具１５，１６を使用し且つ挿入孔を利用することで、２つのスタンド３，３にベースパネル１が取り付けられる。
【００１９】
（アーム）
４本のアーム４，４，４，４はプラスチックによって構成されている。４本のアーム４，４，４，４は、使用の際には、２本ずつ連結させた状態で使用される。この連結を行うために、各アーム４には挿入孔が形成されている。挿入孔としては、アームジョイント５に連結するための挿入孔、アーム同士を連結するための挿入孔、スタンド３に連結するための挿入孔が適宜に形成されている。アーム同士を連結する挿入孔は、連結された全体のアームの長さを調節できるように余分に形成されている。この場合の連結は、留め具１４，１５，１６，１７を適宜に使用し且つ挿入孔を利用することで、することで行われる。
【００２０】
（アームジョイント）
２個のアームジョイント５，５はプラスチックによって構成されている。各アームジョイント５はベースパネル１の裏側に取り付けられるものである。各アームジョイント５は、ベースパネル１の側面及び裏面に当接するＬ字状又は逆Ｌ字状の基材と、基材に設けられアーム４を挟み込む一対の挟持片とを有している。基材及び挟持片には挿入孔が形成されている。そして、各アームジョイント５の基材は、留め具１４，１６を使用し且つ挿入孔を利用することで、ベースパネル１に固定される。また、各アームジョイント５の一対の挟持部には、留め具１５，１６を使用し且つ挿入孔を利用することで、アーム４が取り付けられる。
【００２１】
（コインサーバ）
３個のコインサーバ６ａ，６ａ，６ｂはプラスチックによって構成されている。このうち２個のコインサーバ６ａ，６ａは逆Ｌ字状に構成されている。残り１個のコインサーバ６ｂはＬ字状に構成され、上記２個のコインサーバ６ａ，６ａとは左右対称の形状となっている。図１ではコインサーバ６ａは次のコイン選別レール７ａと連結されているが、コイン選別レール７ａとは分離可能となっている。各コインサーバは角形のコイン受け口を有している。また、コイン受け口の下方は前壁が後壁に対して下方に行くに連れて接近するように挟搾している。このコインサーバの側方に突出する部分はコイン選別レールとの連結部である。そして、このコインサーバにあっては、コイン受け口から導入されたコインは連結部からコイン選別レールに排出される。
なお、このコインサーバ６ａ，６ａ，６ｂは、上記留め具を使用し取付孔１ａを利用してベースパネル１に取り付けられる。
【００２２】
（コイン選別レール）
５個のコイン選別レール７ａ〜７ｅはプラスチックによって構成されている。この５個のコイン選別レール７ａ〜７ｅとしては、実施形態では、１円玉選別レール７ａ、５０円玉選別レール７ｂ、５円玉選別レール７ｃ、１００円玉選別レール７ｄ及び１０円玉選別レール７ｅが用意されている。５００円玉選別レールは、この実施形態では存在しないが、５００円玉選別レールがあってもよい。ただし、１０円玉選別レール７ｅで結果的に１０円玉と５００円玉とが選別されるので、部品点数の減少の観点からは、１０円玉選別レール７ｅの他に５００円玉専用のレールを設ける必要はない。
各コイン選別レールにはコイン導入口、コイン通路及びコイン排出口が形成されている。コイン通路は取付状態ではスロープを構成する。また、各コイン選別レールには、コイン通路を画成する前壁の一部に、選別すべきコインに対応する大きさのコイン選別開口が形成されている。取付状態では、各コイン通路を画成する後壁はほぼ起立し前壁は前方に向けて傾いている。その結果、各コイン選別レールはコイン通路に直交する断面がＶ字状で下方に向けて挟搾している。そして、コイン通路の床面は取付状態でコイン選別レールの表面側に向けて下り勾配となっている。その結果、コインはコイン通路を通過する際に前壁内面に支持された状態でコイン通路内を転動又は滑動することになる。そして、コイン選別開口よりも小さいコインはそのコイン選別開口の位置で支持を失うのでコイン選別開口から落下することになる。
なお、コイン選別開口の大きさについて敷衍すれば、１円玉選別レール７ａには１円玉よりも大きく且つ５０円玉よりも小さい矩形状の１円玉選別開口が形成されている。また、５０円玉選別レール７ｂには５０円玉よりも大きく且つ５円玉よりも小さい矩形状の５０円玉選別開口が形成されている。また、５円玉選別レール７ｃには５円玉よりも大きく且つ１００円玉よりも小さい矩形状の５円玉選別開口が形成されている。また、１００円玉選別レール７ｄには１００円玉よりも大きく且つ１０円玉よりも小さい矩形状の１００円玉選別開口が形成されている。また、１０円玉選別レール７ｅには１０円玉よりも大きく且つ５００円玉よりも小さい矩形状の１０円玉選別開口が形成されている。なお、５００円玉は１０円玉選別レール７ｅのコイン排出口から排出されるので、特には設けられていない。
なお、各コイン選別レールは、上記留め具を使用し取付孔１ａを利用してベースパネル１に取り付けられる。
【００２３】
（ギミック部品）
６個のギミック部品８ａ〜８ｆはプラスチックによって構成されている。この６個のギミック部品８ａ〜８ｆとしては、スナップスパイク８ａ、トリプルスクリュ８ｂ、ツインスロープ８ｃ、キャリーポケット８ｄ、ゴールフラッグ８ｅ及びループスライダ８ｆが用意されている。
このうちスナップスパイク８ａ、トリプルスクリュ８ｂ及びツインスロープ８ｃは、薄箱形の本体と、本体の上面に取り付けられ上方に拡開するコイン受け口とを備えている。そして、これらギミック部品では、コイン受け口から導入されたコインを一旦本体内の空間に導き本体下の開口から排出するように構成されている。この場合、コインは起立状態で本体内を移動する。
ここで、スナップスパイク８ａの本体内には、裏壁内面に５本のピンが前方に向けて突設されている。このうち３本のピンは、仮想三角形の頂点位置に配分されて設けられている。具体的には、３本のピンは、スナップスパイク８ａの本体内のほぼ中央でスナップスパイク８ａの本体の底壁に平行な底辺を持つ仮想二等辺三角形の頂点位置に配分されて設けられている。そして、この３本のピンで、コイン受け口から導入されたコインを左右に振り分けるようになっている。また、残りの２本のピンは上記３本のピンの左右斜め上に配分されて設けられている。この残りの２本のピンはガイドピンである。
トリプルスクリュ８ｂの本体内には各３枚の羽根からなる３つのスクリュが設けられている。各スクリュは３枚の羽根の基端を互いに寄せ合わせた所に軸を持つ。３つのスクリュは千鳥状に配分されて設けられている。このトリプルスクリュ８ｂにあっては、コイン受け口から導入されたコインが３つのスクリュを回しつつ本体内を落下する。
ツインスロープ８ｃの本体内には上下２つのスロープが形成されている。一方のスロープは右壁を基点とし下り勾配を有している。このスロープの下端と左側壁との間にはコインが通過できる程の隙間が形成されている。また、他方のスロープは左壁を基点とし下り勾配を有している。このスロープの下端と右側壁との間、及びこのスロープと上記一方のスロープの下端との間にはコインが通過できる程の隙間が形成されている。このツインスロープ８ｃにあっては、コイン受け口から導入されたコインが２つのスロープ上を転動又は滑動する。つまり、２つのスロープによってコインが遊動することになる。
キャリーポケット８ｄは、平板状の本体と、本体の上部に取り付けられ上方に拡開するコイン受け口とを備えている。コイン受け口から導入されたコインは本体の前面に落下する。本体には、下端の軸を中心に揺動可能にアームが取り付けられている。アームの上端には弧状部中央が取り付けられた半月状のコイン捕捉部が取り付けられている。コイン捕捉部の直線部にはコインの半部を受容可能な穴が形成されている。なお、アームには、スプリング又は錘が取り付けられ、このスプリング又は重りによってコイン捕捉部の元位置を調整し、コイン捕捉部の穴によって上記コイン受け口からのコインが確実に捕捉されるように構成されている。このキャリーポケット８ｄにあっては、コイン受け口から導入されたコインの半部がコイン捕捉部の穴に入り、コインの重みによってアームが回転する。そして、アームがある程度回転した所で、コインが落下する。その後、アームはスプリング又は重りの作用によって元位置に戻る。
ゴールフラッグ８ｅは平板状の本体の前面に、左辺を基点とし下り勾配を持ち左右幅方向の中央を終点とするスロープと、中央の軸を中心にシーソ動作するシーソ部材とが設けられている。そして、シーソ部材の一方のアームの先端にはフラッグが形成され、他方のアームは基端側が直線状で先端側が弧状に形成されている。このキャリーポケット８ｅにあっては、自然状態でフラッグが倒れた状態にあり、スロープを転動又は滑動してきたコインが上記他方のアームの先端の弧状部分に当たった際にフラッグが起立する。そして、コインが通過した所で、シーソ部材は元位置に戻る。
ループスライダ８ｆは、ループスライダベース８ｆ−１と、ループスライダ本体８ｆ−２とから構成されている。ループスライダ本体８ｆ−２は螺旋状のスロープを有し、コインは倒れた状態でスロープ上を滑動するようになっている。つまり、スロープによってコインが遊動することになる。このループスライダ本体８ｆ−２の後ろ側には爪が付設され、この爪をループスライダベース８ｆ−１の穴に係合させることによって、ループスライダ本体８ｆ−２はループスライダベース８ｆ−１に取り付けられる。なお、ループスライダベース８ｆ−１は留め具１８を使用してベースパネル１に固定される。
なお、ギミック部品８ａ〜８ｆは、上記留め具を使用し取付孔１ａを利用してベースパネル１に取り付けられる。
【００２４】
（落下スライダ）
２個の落下スライダ９ａ，９ｂはプラスチックによって構成されている。一方の落下スライダ９ａは長尺であり、他方の落下スライダ７ｂは短尺となっている。各落下スライダは中空に形成され、上端にはコイン受け口が形成され、下端にはコイン排出口が形成されている。この落下スライダ９ａ，９ｂにおいては、コインは起立状態で移動する。なお、落下スライダ９ａ，９ｂは、上記留め具を使用し取付孔１ａを利用してベースパネル１に取り付けられる。
【００２５】
（コインポット）
６個のコインポット１１ａ〜１１ｆはプラスチックによって構成されている。この６個のコインポット１１ａ〜１１ｆは、コインポットベース１１ａ−１〜１１ｆ−１と、コインポット本体１１ａ−２〜１１ｆ−２とから構成されている。各コインポット本体はコインを積層状態で貯留するためのものである。各コインポット本体は有底筒状に構成されている。各コインポット本体の横断面は馬蹄状又は舌片状となっている。この実施形態では、各コインポット本体は貯留するコインに対応させた大きさとなっている。つまり、コインポット本体１１ａ−２〜１１ｆ−２として、１円玉用ポット本体１１ａ−２、５０円玉用ポット本体１１ｂ−２、５円玉用ポット本体１１ｃ−２、１００円玉用ポット本体１１ｄ−２、１０円玉用ポット本体１１ｅ−２及び５００円玉用ポット本体１１ｆ−２が用意されている。また、各コインポット本体の前部には上下方向に延在するスリットが形成されている。そして、このスリットを通してコインの貯留状態が視認できるようになっている。また、コインポット本体１１ａ−２〜１１ｆ−２の後ろ側には突起が付設され、この突起をコインポットベース１１ａ−１〜１１ｆ−１の穴に嵌合させることによって、コインポット本体１１ａ−２〜１１ｆ−２はコインポットベース１１ａ−１〜１１ｆ−１に取り付けられる。なお、コインポットベース１１ａ−１〜１１ｆ−１は、上記留め具を使用し取付孔１ａを利用してベースパネル１に取り付けられる。
【００２６】
（エンブレム）
エンブレム１３はプラスチックによって構成されている。このエンブレム１３は、上記留め具を使用し取付孔１ａを利用してベースパネル１に取り付けられる。
【００２７】
（第１の組立例の説明）
第１の組立例では２枚のベースパネル１，１の各々を横長状態で上下方向に連結したものである。この第１の組立例では、正面側から見て右側上のコインサーバ６ａにコインが投入される。コイン選別レールは、コインの流れ方向で見ると、径サイズが大きくなる順、具体的には、１円玉選別レール７ａ、５０円玉選別レール７ｂ、５円玉選別レール７ｃ、１００円玉選別レール７ｄ及び１０円玉選別レール７ｅの順に並んでいる。この場合、１円玉選別レール７ａ、５０円玉選別レール７ｂ及び５円玉選別レール７ｃが上段に、１００円玉選別レール７ｄ及び１０円玉選別レール７ｅが下段に設けられている。
また、１円玉選別レール７ａ、５０円玉選別レール７ｂ、５円玉選別レール７ｃ、１００円玉選別レール７ｄ及び１０円玉選別レール７ｅの下方には、スナップスパイク８ａ、ツインスロープ８ｃ、トリプルスクリュ８ｂ、キャリーポケット８ｄ及びループスライダ８ｆを間に挟んで、１円玉用ポット本体１１ａ−２、５０円玉用ポット本体１１ｂ−２、５円玉用ポット本体１１ｃ−２、１００円玉用ポット本体１１ｄ−２及び１０円玉用ポット本体１１ｅ−２が配設されている。また、正面側から見てトリプルスクリュ８ｂの左横には長尺の落下スライダ９ａが配設されている。また、落下スライダ９ａの下方にはコインサーバ６ｂが配設されている。さらに、正面側から見て右側下にはゴールフラッグ８ｅが配設され、そのゴールフラッグ８ｅの下方には５００円玉用ポット本体１１ｆ−２が配設されている。
取付順序としては、特に制限はないが、図３に示すように、先ず、コインサーバ、コイン選別レール及び落下スライダを取り付けて基本的なコインの流れを決めておいた後に、他の部品を取り付けるようにするとよい。実施形態では、図４に示すように、６個のコインポット１１ａ〜１１ｆを取り付け、その後に６個のギミック部品８ａ〜８ｆ及びエンブレム１３を取り付けるようにしている。この取り付け順序は逆であってもよい。
【００２８】
（第２の組立例の説明）
図６に示す第２の組立例では２枚のベースパネル１，１の各々を縦長状態で上下方向に連結したものである。この第２の組立例では、正面側から見て右側上のコインサーバ６ａにコインが投入される。コイン選別レールは、コインの流れ方向で見ると、径サイズが大きくなる順、具体的には、１円玉選別レール７ａ、５０円玉選別レール７ｂ、５円玉選別レール７ｃ、１００円玉選別レール７ｄ及び１０円玉選別レール７ｅの順に並んでいる。この場合、１円玉選別レール７ａ及び５０円玉選別レール７ｂは上段に、５円玉選別レール７ｃ及び１００円玉選別レール７ｄは中段に、１０円玉選別レール７ｅは下段に設けられている。
この実施形態では、短尺の落下スライダ９ｂも使用されている。また、３個のコインサーバ６ａ，６ａ，６ｂが全て使用されている。
【００２９】
（第３の組立例）
図７に示す第３の組立例では２枚のベースパネル１，１の各々を縦長状態で横方向に連結したものである。この第３の組立例では、正面側から見て右側上のコインサーバ６ａにコインが投入される。コイン選別レールは、コインの流れ方向で見ると、径サイズが大きくなる順、具体的には、１円玉選別レール７ａ、５０円玉選別レール７ｂ、５円玉選別レール７ｃ、１００円玉選別レール７ｄ及び１０円玉選別レール７ｅの順に一列に並んでいる。
なお、第３の組立例では４本のアーム４，４，４，４は使用されていない。
【００３０】
以上、本考案の実施形態について説明したが、本考案は、かかる実施形態に限定されるものではなく、その要旨を逸脱しない範囲で種々変更であることにはいうまでもない。
【００３１】
上記実施形態では、ベースパネルの表面に取り付けられる取付部品の取付手段は、取付部品の裏側に設けられた係合部と、ベースパネルの取付孔と、その係合部に係着する留め具とを含み、その係合部及びその留め具の少なくとも一方をベースパネルの取付孔に挿入させて、ベースパネルの表面側にある取付部品の係合部に当該ベースパネルの裏面側から留め具を係着させることによって、コインポットベース及びコイン選別レールをベースパネルに取り付けるように構成されていたが、取付部品をベースパネルの取付孔に単に嵌合させることによってベースパネルに着脱可能に取り付けても良いし、また、取付部品をマグネットや粘着シートによる磁気力や粘着力等によってベースパネルに着脱可能に取り付けても良い。
【図面の簡単な説明】
【００３２】
【図１】実施形態の組立式貯金箱の構成部品を示す斜視図である。
【図２】第１の組立例を示す図である。
【図３】第１の組立例の組立順を示す図である。
【図４】第１の組立例の組立順を示す図である。
【図５】第１の組立例の組立順を示す図である。
【図６】第２の組立例を示す図である。
【図７】第３の組立例を示す図である。
【符号の説明】
【００３３】
１００    組立式貯金箱
１    ベースパネル
７ａ〜７ｅ    コイン選別レール
８ａ〜８ｆ    ギミック部品
１１ａ〜１１ｆ    コインポット
１４〜１８    留め具
【図１】
0003138991.tif 000003
【図２】
0003138991.tif 000004
【図３】
0003138991.tif 000005
【図４】
0003138991.tif 000006
【図５】
0003138991.tif 000007
【図６】
0003138991.tif 000008
【図７】
0003138991.tif 000009